(57)【特許請求の範囲】
【請求項１】
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、
前記渋滞長算出部で算出した前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、前記変化量算出部で算出した渋滞長変化量が前記渋滞長変化分布情報に対して所定の条件を充足する場合に所定の符号を表示する表示部と
を備える交通情報表示装置。
【請求項２】
前記表示部は、
前記渋滞長算出部で算出した渋滞長に応じて前記符号を異なる表示態様で表示するようにしてある請求項１に記載の交通情報表示装置。
【請求項３】
前記道路網の前記任意の時間帯での渋滞長を所定期間に亘って収集して得られた渋滞長データの頻度を、複数の渋滞長区分毎に累積した累積頻度を示す渋滞長分布情報を前記任意の時間帯毎に記憶する記憶部を備え、
前記渋滞長分布情報の累積頻度を複数の頻度領域に区分してあり、
前記表示部は、
前記渋滞長算出部で算出した渋滞長が前記渋滞長分布情報のいずれの頻度領域区分にあるかに応じて前記所定の符号を異なる表示態様で表示するようにしてある請求項１又は請求項２に記載の交通情報表示装置。
【請求項４】
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、
前記渋滞長算出部で算出した渋滞長を表示し、前記変化量算出部で算出した渋滞長変化量が前記渋滞長変化分布情報に対して所定の条件を充足する場合に所定の符号を表示する表示部と
を備え、
前記渋滞長変化分布情報の累積頻度を複数の頻度領域に区分してあり、
前記変化量算出部で算出した渋滞長変化量が複数の時間帯で所定回数以上所定の頻度領域区分にある場合、前記所定の条件を充足すると判定する判定部を備える交通情報表示装置。
【請求項５】
前記渋滞長算出部で算出した前記任意の時間帯での渋滞長に基づいて前記所定回数を決定する決定部を備える請求項４に記載の交通情報表示装置。
【請求項６】
前記道路網の前記任意の時間帯での渋滞長を所定期間に亘って収集して得られた渋滞長データの頻度を、複数の渋滞長区分毎に累積した累積頻度を示す渋滞長分布情報を前記任意の時間帯毎に記憶する記憶部を備え、
前記渋滞長分布情報の累積頻度を複数の頻度領域に区分してあり、
前記決定部は、
前記渋滞長算出部で算出した前記任意の時間帯での渋滞長が前記渋滞長分布情報のいずれの頻度領域区分にあるかに応じて、前記所定回数を決定するようにしてある請求項５に記載の交通情報表示装置。
【請求項７】
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、
前記渋滞長算出部で算出した渋滞長を表示し、前記変化量算出部で算出した渋滞長変化量が前記渋滞長変化分布情報に対して所定の条件を充足する場合に所定の符号を表示する表示部と
を備え、
前記表示部は、
前記渋滞長変化分布情報を表示するようにしてある交通情報表示装置。
【請求項８】
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、
前記渋滞長算出部で算出した渋滞長を表示し、前記変化量算出部で算出した渋滞長変化量が前記渋滞長変化分布情報に対して所定の条件を充足する場合に所定の符号を表示する表示部と
を備え、
前記表示部は、
前記渋滞長変化分布情報の累積頻度を示す累積曲線を表示するようにしてある交通情報表示装置。
【請求項９】
前記表示部は、
前記渋滞長分布情報を表示するようにしてある請求項３に記載の交通情報表示装置。
【請求項１０】
前記表示部は、
前記渋滞長分布情報の累積頻度を示す累積曲線を表示するようにしてある請求項９に記載の交通情報表示装置。
【請求項１１】
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、
前記渋滞長算出部で算出した渋滞長を表示し、前記変化量算出部で算出した渋滞長変化量が前記渋滞長変化分布情報に対して所定の条件を充足する場合に所定の符号を表示する表示部と、
前記所定の符号を表示した時間帯と該符号とを関連付けて記憶し、前記渋滞長算出部で算出した渋滞長を時間帯毎に記憶する記憶部と
を備え、
前記表示部は、
前記記憶部に記憶した符号及び渋滞長、並びに前記渋滞長変化分布情報又は渋滞長分布情報の少なくとも１つを時系列的に再表示するようにしてある交通情報表示装置。
【請求項１２】
コンピュータを、
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
前記渋滞長算出部で算出した前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部と
して機能させるコンピュータプログラム。
【請求項１３】
コンピュータを、
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部と
して機能させ、
前記渋滞長変化分布情報の累積頻度を複数の頻度領域に区分してあり、
さらに、前記変化量算出部で算出した渋滞長変化量が複数の時間帯で所定回数以上所定の頻度領域区分にある場合、前記所定の条件を充足すると判定する判定部と
して機能させるコンピュータプログラム。
【請求項１４】
コンピュータを、
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部と
して機能させ、
前記表示部は、
前記渋滞長変化分布情報を表示するコンピュータプログラム。
【請求項１５】
コンピュータを、
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部と
して機能させ、
前記表示部は、
前記渋滞長変化分布情報の累積頻度を示す累積曲線を表示するコンピュータプログラム。
【請求項１６】
コンピュータを、
１又は複数の特定の道路網の任意の時間帯での渋滞長を算出する渋滞長算出部と、
該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、
該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部と
して機能させ、
前記表示部は、
前記所定の符号を表示した時間帯と関連付けられた前記符号及び時間帯毎の渋滞長、並びに前記渋滞長変化分布情報又は渋滞長分布情報の少なくとも１つを時系列的に再表示するコンピュータプログラム。
【請求項１７】
１又は複数の特定の道路網の任意の時間帯での渋滞長を渋滞長算出部が算出するステップと、
算出された任意の時間帯及び該時間帯と異なる他の時間帯での渋滞長に基づいて、前記任意の時間帯での渋滞長の変化を示す渋滞長変化量を変化量算出部が算出するステップと、
前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶部に記憶するステップと、
算出された前記任意の時間帯毎の渋滞長の推移及び前記道路網の前記任意の時間帯での渋滞長を所定期間に亘って収集して得られた前記任意の時間帯毎の渋滞長の統計値の推移
を並べて表示しつつ、算出された渋滞長変化量が前記渋滞長変化分布情報に対して所定の条件を充足する場合に所定の符号を表示部が表示するステップと
を含む交通情報表示方法。
【発明の詳細な説明】
【技術分野】
【０００１】
本発明は、渋滞に関する交通情報を表示する交通情報表示装置、該交通情報表示装置を実現するためのコンピュータプログラム及び交通情報表示方法に関する。
【背景技術】
【０００２】
都市部の渋滞には、朝夕の通勤時間帯など平日のほぼ同じ時間帯に通常的に発生するものの他に、例えば、集中豪雨又は台風などによる視界不良で運転者が慎重になること、あるいは事故又は地震等による交通規制などによる道路及び交差点の容量が低下することが原因で、突発的に発生するものがある。
【０００３】
特に突発的に発生する渋滞に対しては、かかる渋滞を早期に発見して、信号制御による混雑方向の優先制御(政策的制御)を行うこと、あるいは渋滞に関連する情報を提供して迂回の促進などの対策を講ずることにより、渋滞の拡大を緩和させることが望ましい。また、朝夕の渋滞時は、もともと交通需要が多い時間帯であるため、例えば、駐車車両又は故障車など小さな要因が発生しても大渋滞の引き金となる場合があり、このような小さな要因による渋滞変化なども早期に発見し、迅速な対応を行うことが求められている。
【０００４】
このように、通常と異なる渋滞の早期発見及び対策の実施は、渋滞緩和に寄与すると期待される。そこで、現在の渋滞長が通常時と比較して深刻であるのか否か、また渋滞の増加傾向が通常時と比べて早いのか否かを判定すべく、現時点の渋滞長及び渋滞長差分とこれらの統計値とを比較する方法が開示されている（特許文献１参照）。
【先行技術文献】
【特許文献】
【０００５】
【特許文献１】特開２０１３−１４２９２３号公報
【発明の概要】
【発明が解決しようとする課題】
【０００６】
しかし、特許文献１に開示された方法は、時刻毎の瞬間値と過去の統計値とを比較しているので、現時点での渋滞状況は把握することができるものの、現時点より前の時点から現時点までの渋滞長及び渋滞長変化量の連続的な推移又は傾向を把握するにはさらなる改善が望まれる。
【０００７】
本発明は、斯かる事情に鑑みてなされたものであり、渋滞状況の連続的な傾向を把握することができる交通情報表示装置、該交通情報表示装置を実現するためのコンピュータプログラム及び交通情報表示方法を提供することを目的とする。
【課題を解決するための手段】
【０００８】
本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、前記変化量算出部で算出した渋滞長変化量が前記渋滞長変化分布情報に対して所定の条件を充足する場合に所定の符号を表示する表示部とを備える。
また、本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部とを備え、前記渋滞長変化分布情報の累積頻度を複数の頻度領域に区分してあり、前記変化量算出部で算出した渋滞長変化量が複数の時間帯で所定回数以上所定の頻度領域区分にある場合、前記所定の条件を充足すると判定する判定部を備える。
また、本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯
毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部とを備え、前記表示部は、前記渋滞長変化分布情報を表示するようにしてある。
また、本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部とを備え、前記表示部は、前記渋滞長変化分布情報の累積頻度を示す累積曲線を表示するようにしてある。
また、本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部と、前記所定の符号を表示した時間帯と該符号とを関連付けて記憶し、前記渋滞長算出部で算出した渋滞長を時間帯毎に記憶する記憶部とを備え、前記表示部は、前記記憶部に記憶した符号及び渋滞長、並びに前記渋滞長変化分布情報又は渋滞長分布情報の少なくとも１つを時系列的に再表示するようにしてある。
【０００９】
本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記渋滞長算出部で算出した前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させる。
また、本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記渋滞長変化分布
情報の累積頻度を複数の頻度領域に区分してあり、さらに、前記変化量算出部で算出した渋滞長変化量が複数の時間帯で所定回数以上所定の頻度領域区分にある場合、前記所定の条件を充足すると判定する判定部として機能させる。
また、本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記表示部は、前記渋滞長変化分布情報を表示する。
また、本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記表示部は、前記渋滞長変化分布情報の累積頻度を示す累積曲線を表示する。
また、本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記表示部は、前記所定の符号を表示した時間帯と関連付けられた前記符号及び時間帯毎の渋滞長、並びに前記渋滞長変化分布情報又は渋滞長分布情報の少なくとも１つを時系列的に再表示する。
【００１０】
本発明の実施の形態に係る交通情報表示方法は、１又は複数の特定の道路網の任意の時間帯での渋滞長を渋滞長算出部が算出するステップと、算出された任意の時間帯及び該時間帯と異なる他の時間帯での渋滞長に基づいて、前記任意の時間帯での渋滞長の変化を示す渋滞長変化量を変化量算出部が算出するステップと、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶部に記憶するステップと、算出された前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、算出された渋滞長変化量が前記渋滞長変化分布情報に対して所定の条件を充足する場合に所定の符号を表示部が表示するステップとを含む。
【発明の効果】
【００１１】
本発明によれば、渋滞状況の連続的な傾向を把握することができる。
【図面の簡単な説明】
【００１２】
【図１】本実施の形態の交通情報表示装置の構成の一例を示すブロック図である。
【図２】本実施の形態の交通情報表示装置が生成する渋滞長分布情報の一例を示す説明図である。
【図３】渋滞長分布情報に基づく渋滞長の評価方法の一例を示す説明図である。
【図４】本実施の形態の交通情報表示装置が生成する渋滞長変化分布情報の一例を示す説明図である。
【図５】渋滞長変化分布情報に基づく渋滞長変化量の評価方法の一例を示す説明図である。
【図６】本実施の形態の交通情報表示装置が表示部に表示する渋滞の評価結果の一例を示す模式図である。
【図７】渋滞長符号の表示態様の一例を示す説明図である。
【図８】渋滞長変化量増加検出符号（検出符号）の表示態様の一例を示す説明図である。
【図９】検出符号を表示するための所定の条件（検出条件）の一例を示す説明図である。
【図１０】本実施の形態の交通情報表示装置による渋滞評価の表示の第１例を示す説明図である。
【図１１】本実施の形態の交通情報表示装置による渋滞評価の表示の第１例を示す説明図である。
【図１２】本実施の形態の交通情報表示装置による渋滞評価の表示の第１例を示す説明図である。
【図１３】本実施の形態の交通情報表示装置による渋滞評価の表示の第１例を示す説明図である。
【図１４】本実施の形態の交通情報表示装置による渋滞評価の表示の第２例を示す説明図である。
【図１５】本実施の形態の交通情報表示装置による渋滞評価の表示の第２例を示す説明図である。
【図１６】本実施の形態の交通情報表示装置による渋滞評価の表示の第２例を示す説明図である。
【図１７】本実施の形態の交通情報表示装置による渋滞評価の表示の第２例を示す説明図である。
【図１８】本実施の形態の交通情報表示装置による渋滞評価の表示の第２例を示す説明図である。
【図１９】本実施の形態の交通情報表示装置による渋滞評価の表示の第２例を示す説明図である。
【図２０】本実施の形態の交通情報表示装置による渋滞評価の表示の第２例を示す説明図である。
【図２１】本実施の形態の交通情報表示装置による渋滞評価の表示の第３例を示す説明図である。
【図２２】本実施の形態の交通情報表示装置の処理手順を示すフローチャートである。
【発明を実施するための形態】
【００１３】
［本願発明の実施形態の説明］
（１）本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、前記変化量算出部で算出した渋滞長変化量が前記渋滞長変化分布情報に対して所定の条件を充足する場合に所定の符号を表示する表示部とを備える。
【００１４】
また、本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記渋滞長算出部で算出した前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させる。
【００１５】
また、本発明の実施の形態に係る交通情報表示方法は、１又は複数の特定の道路網の任意の時間帯での渋滞長を渋滞長算出部が算出するステップと、算出された任意の時間帯及び該時間帯と異なる他の時間帯での渋滞長に基づいて、前記任意の時間帯での渋滞長の変化を示す渋滞長変化量を変化量算出部が算出するステップと、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶部に記憶するステップと、算出された前記任意の時間帯毎の渋滞長の推移及び前記道路網の前記任意の時間帯での渋滞長を所定期間に亘って収集して得られた前記任意の時間帯毎の渋滞長の統計値の推移を並べて表示しつつ、算出された渋滞長変化量が前記渋滞長変化分布情報に対して所定の条件を充足する場合に所定の符号を表示部が表示するステップとを含む。
【００１６】
渋滞長算出部は、１又は複数の特定の道路網の任意の時間帯での渋滞長を算出する。特定の道路網とは、交通管制地域の全地域、指定地域、県境リンク、あるいは高速道路の出入口付近のリンク等であり、例えば、交通管制地域が東京都であれば、都内全域、２３区内、京葉道路などの路線（上り及び下り）、都県境のリンク群、高速道又は首都高速道路の出入口に接続するリンク群とすることができる。任意の時間帯は、例えば、１日２４時間を５分毎に区切った５分間（例えば、時刻１７：２５から１７：３０までの５分間）とすることができる。渋滞長算出部は、特定の道路網の任意の時間帯での渋滞長を算出する。算出した渋滞長は、任意の時間帯（例えば、時刻１７：２５から１７：３０までの５分間、すなわち時刻１７：３０）での現状の渋滞長を表す。
【００１７】
変化量算出部は、渋滞長算出部で算出した任意の時間帯及び任意の時間帯と異なる他の時間帯での渋滞長に基づいて、任意の時間帯での渋滞長の変化を示す渋滞長変化量を算出する。任意の時間帯と異なる時間帯における「異なる」とは、Ｔ分前（Ｔは、例えば、１５）という意味である。任意の時間帯が、例えば、時刻１７：２５から１７：３０までの５分間とすると、異なる１５分前の時間帯は、時刻１７：１０から１７：１５までの５分間とすることができる。すなわち、渋滞長変化量は、時刻１７：３０での渋滞長と、過去１５分前の時刻１７：１５での渋滞長との変化量であり、渋滞長が減少した場合には渋滞長変化量は負値となり、渋滞長が増加した場合には渋滞長変化量は正値となる。例えば、時刻１７：３０での渋滞長（総渋滞長）が３１５ｋｍであり、過去１５分前の時刻１７：１５での渋滞長（総渋滞長）が３１０ｋｍである場合、渋滞長変化量は５ｋｍである。
【００１８】
記憶部は、道路網の任意の時間帯での渋滞長変化量を所定期間に亘って収集して得られた渋滞長変化量データの頻度を、複数の渋滞長変化量区分毎に累積した累積頻度を示す渋滞長変化分布情報を任意の時間帯毎に記憶する。所定期間は、渋滞長変化量の統計値を求めることができる程度の期間であればよく、例えば、過去３年間、過去２年間などである。また、所定期間を平日、土曜日及び日祝日毎に分けてもよい。例えば、所定期間を平日（１年のうち約２５０日）の３年間とし、時間帯を５分とすると、２８８（＝２４×６０／５）に分割された５分単位の渋滞長変化量データが３年分の約７５０個（＝３×２５０）収集される。
【００１９】
渋滞長変化量区分は、渋滞長変化量を単位距離（例えば、過去の渋滞長変化量の最大値と最小値の差分を２０〜５０程度の数値で除算して得られる値であり、例えば、１ｋｍ、２ｋｍ、３ｋｍなどとすることができる）で複数の区分に分けたものであり、例えば、単位距離を１ｋｍとすれば、増加分として０〜１ｋｍ、１〜２ｋｍ、２〜３ｋｍ、…、減少分として−１〜０ｋｍ、−２〜−１ｋｍ、−３〜−２ｋｍ、…の如く分けたものである。渋滞長変化分布情報は、例えば、各渋滞長変化量区分の渋滞長変化量データの頻度を示す頻度分布（棒グラフ）、あるいは各渋滞長変化量区分の渋滞長変化量データの累積頻度を示す累積頻度曲線又は折れ線グラフなどである。所定期間を３年間とすると、渋滞長変化分布情報は、３年分の約７５０個の渋滞長変化量データそれぞれが、いずれの渋滞長変化量区分にあるかの頻度分布を示す。
【００２０】
表示部は、渋滞長算出部で算出した渋滞長を表示する。例えば、１日２４時間を５分毎に区切った５分間（任意の時間帯）毎に渋滞長を算出する場合、表示部は、５分毎の渋滞長の推移を表示する。なお、表示部で渋滞長を表示する場合、１日２４時間全部を表示してもよいが、特定の時間帯（例えば、午前６：００から午後８：００などのように交通量が比較的多い時間帯）だけの渋滞長の推移を表示するようにしてもよい。
【００２１】
また、表示部は、変化量算出部で算出した渋滞長変化量が渋滞長変化分布情報に対して所定の条件を充足する場合に所定の符号を表示する。１日２４時間を５分毎に区切った５分間毎に渋滞長を算出する場合、渋滞長変化量も１日２４時間を５分毎に区切った５分間毎又は５分間の整数倍毎に算出される。所定の条件は、例えば、算出した渋滞長変化量と渋滞長変化分布情報とを比較した場合に、算出した渋滞長変化量が通常の状態と異なるのか否かを把握することができる条件であればよい。例えば、早急な渋滞抑止策が必要となる程度に渋滞長変化量が増加したのか否かが判ればよい。所定の符号は、例えば、逆三角形など適宜の形状の図形や文字などを用いることができる。時間帯毎に渋滞長の推移を表示しつつ所定の条件を充足した場合には、所定の符号が表示されるので、渋滞状況の連続的な傾向を把握することができる。
【００２２】
（２）本発明の実施の形態に係る交通情報表示装置は、前記表示部は、前記渋滞長算出部で算出した渋滞長に応じて前記符号を異なる表示態様で表示するようにしてある。
【００２３】
表示部は、渋滞長算出部で算出した渋滞長に応じて符号を異なる表示態様で表示する。異なる表示態様とは、例えば、所定の符号の色を変えること、あるいは所定の符号の形状又は大きさを変えることである。例えば、所定の符号の色を変える場合には、早急な渋滞抑止策が必要となるときには符号の色を赤色にし、渋滞抑止策を準備すべく注意を促すときには符号の色を黄色にし、特段渋滞抑止策を行う必要がないときには符号の色を緑色などとすることができる。これにより、交通管理者は、渋滞状況の変化を視覚的に把握することができ、渋滞抑止策を迅速かつタイムリーに行うことができる。
【００２４】
（３）本発明の実施の形態に係る交通情報表示装置は、前記道路網の前記任意の時間帯での渋滞長を所定期間に亘って収集して得られた渋滞長データの頻度を、複数の渋滞長区分毎に累積した累積頻度を示す渋滞長分布情報を前記任意の時間帯毎に記憶する記憶部を備え、前記渋滞長分布情報の累積頻度を複数の頻度領域に区分してあり、前記表示部は、前記渋滞長算出部で算出した渋滞長が前記渋滞長分布情報のいずれの頻度領域区分にあるかに応じて前記所定の符号を異なる表示態様で表示するようにしてある。
【００２５】
記憶部は、道路網の任意の時間帯での渋滞長を所定期間に亘って収集して得られた渋滞長データの頻度を、複数の渋滞長区分毎に累積した累積頻度を示す渋滞長分布情報を任意の時間帯毎に記憶する。この場合も、所定期間は、渋滞長の統計値を求めることができる程度の期間であればよく、例えば、過去３年間、過去２年間などである。また、所定期間を平日、土曜日及び日祝日毎に分けてもよい。例えば、所定期間を平日（１年のうち約２５０日）の３年間とし、時間帯を５分とすると、２８８（＝２４×６０／５）に分割された５分単位の渋滞長量データが３年分の約７５０個（＝３×２５０）収集される。
【００２６】
渋滞長分布情報の累積頻度を複数の頻度領域に区分してある。複数の頻度領域は、例えば、累積頻度が上位５％以内の警告領域（警告ゾーン）、累積頻度が上位５％から上位１５％以内の注意領域（注意ゾーン）、累積頻度が上位１５％より下（１５％未満）の通常領域（通常ゾーン）に区分することができる。
【００２７】
表示部は、渋滞長算出部で算出した渋滞長がいずれの頻度領域区分にあるかに応じて符号を異なる表示態様で表示する。例えば、現在の渋滞長が渋滞長分布情報の頻度分布の上位５％以内にある場合は、所定の符号を赤色で表示する。また、現在の渋滞長が渋滞長分布情報の頻度分布の上位１５％以内にある場合は、所定の符号を黄色で表示する。また、現在の渋滞長が渋滞長分布情報の頻度分布の上位１５％未満にある場合は、所定の符号を緑色で表示する。これにより、交通管理者は、渋滞状況の変化を視覚的に把握することができ、渋滞抑止策を迅速かつタイムリーに行うことができる。
【００２８】
（４）本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部とを備え、前記渋滞長変化分布情報の累積頻度を複数の頻度領域に区分してあり、前記変化量算出部で算出した渋滞長変化量が複数の時間帯で所定回数以上所定の頻度領域区分にある場合、前記所定の条件を充足すると判定する判定部を備える。
（１３）本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記渋滞長変化分布情報の累積頻度を複数の頻度領域に区分してあり、さらに、前記変化量算出部で算出した渋滞長変化量が複数の時間帯で所定回数以上所定の頻度領域区分にある場合、前記所定の条件を充足すると判定する判定部として機能させる。
【００２９】
渋滞長変化分布情報の累積頻度を複数の頻度領域に区分してある。複数の頻度領域は、例えば、累積頻度が上位１０％以内の警告領域（警告ゾーン）、累積頻度が上位１０％より下（１０％未満）の通常領域（通常ゾーン）に区分することができる。判定部は、変化量算出部で算出した渋滞長変化量が複数の時間帯で所定回数以上所定の頻度領域区分にある場合、所定の条件を充足すると判定する。例えば、複数の時間帯を連続する３つの時間帯とし、所定回数を２回とし、所定の頻度領域区分を累積頻度が上位１０％以内の警告領域とした場合、１５分間（３つの時間帯）の間に算出された３回の渋滞長変化量のうち、２回の渋滞長変化量が警告領域にあるときは、所定の条件を充足すると判定することができる。判定部を備えることにより、渋滞長変化量の一過性のゆらぎを除外することができ、渋滞長変化量が通常と異なり異常に増加しているのか否かを正確に把握することができる。
【００３０】
（５）本発明の実施の形態に係る交通情報表示装置は、前記渋滞長算出部で算出した前記任意の時間帯での渋滞長に基づいて前記所定回数を決定する決定部を備える。
【００３１】
決定部は、渋滞長算出部で算出した任意の時間帯での渋滞長に基づいて所定回数を決定する。例えば、渋滞長が長い場合には、迅速に渋滞抑止策を実施する必要があるので、所定回数を少なくして渋滞長変化量が警告領域にある場合は速やかに所定条件を充足すると判定することができる。一方、渋滞長が長くない場合には、渋滞抑止策を速やかに実施する緊急性は高くないので、所定回数を多くして渋滞長変化量が繰り返し警告領域に入った場合には所定条件を充足すると判定することができる。決定部を備えることにより、渋滞長を加味することができ、所定の条件を充足するか否かを的確に判定することができる。
【００３２】
（６）本発明の実施の形態に係る交通情報表示装置は、前記道路網の前記任意の時間帯での渋滞長を所定期間に亘って収集して得られた渋滞長データの頻度を、複数の渋滞長区分毎に累積した累積頻度を示す渋滞長分布情報を前記任意の時間帯毎に記憶する記憶部を備え、前記渋滞長分布情報の累積頻度を複数の頻度領域に区分してあり、前記決定部は、前記渋滞長算出部で算出した前記任意の時間帯での渋滞長が前記渋滞長分布情報のいずれの頻度領域区分にあるかに応じて、前記所定回数を決定するようにしてある。
【００３３】
記憶部は、道路網の任意の時間帯での渋滞長を所定期間に亘って収集して得られた渋滞長データの頻度を、複数の渋滞長区分毎に累積した累積頻度を示す渋滞長分布情報を任意の時間帯毎に記憶する。この場合も、所定期間は、渋滞長の統計値を求めることができる程度の期間であればよく、例えば、過去３年間、過去２年間などである。また、所定期間を平日、土曜日及び日祝日毎に分けてもよい。例えば、所定期間を平日（１年のうち約２５０日）の３年間とし、時間帯を５分とすると、２８８（＝２４×６０／５）に分割された５分単位の渋滞長量データが３年分の約７５０個（＝３×２５０）収集される。
【００３４】
渋滞長分布情報の累積頻度を複数の頻度領域に区分してある。複数の頻度領域は、例えば、累積頻度が上位５％以内の警告領域（警告ゾーン）、累積頻度が上位５％から上位１５％以内の注意領域（注意ゾーン）、累積頻度が上位１５％より下（１５％未満）の通常領域（通常ゾーン）に区分することができる。
【００３５】
決定部は、渋滞長算出部で算出した任意の時間帯での渋滞長が渋滞長分布情報のいずれの頻度領域区分にあるかに応じて、所定回数を決定する。例えば、渋滞長が警告領域にある場合は、所定回数をＭ１とし、渋滞長が注意領域にある場合は、所定回数をＭ２とし、渋滞長が通常領域にある場合は、所定回数をＭ３とすることができる。ここで、Ｍ１＜Ｍ２＜Ｍ３である。例えば、複数の時間帯を連続する３つの時間帯とする場合、Ｍ１＝１、Ｍ２＝２、Ｍ３＝３とすることができる。かかる構成により、渋滞長の通常の状態に対する現在の渋滞長の異常度合を加味することができ、所定の条件を充足するか否かを的確に判定することができる。
【００３６】
（７）本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部とを備え、前記表示部は、前記渋滞長変化分布情報を表示するようにしてある。
（１４）本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分
毎に累積した累積頻度を示す渋滞長変化分布情報に対して、算出した渋滞長変化量が所定の条件を充足する場合に所定の符号を表示する表示部として機能させ、前記表示部は、前記渋滞長変化分布情報を表示する。
【００３７】
表示部は、渋滞長変化分布情報を表示する。渋滞長変化分布情報を表示することにより、算出した現状の渋滞長変化量が、渋滞長変化量の頻度分布の上位からどの程度の位置にあるかを表示することができる。また、分布の代表値（例えば、中央値）がどのくらいの値であるか、分布がどれくらいの広がりを持っているのかを確認することができる。また、現状の渋滞長変化量が、過去の渋滞長変化量の統計値に対して、上位からどの程度にあるのかが分かり、過去の渋滞状況と比較して渋滞の深刻さを表示することができる。
【００３８】
（８）本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部とを備え、前記表示部は、前記渋滞長変化分布情報の累積頻度を示す累積曲線を表示するようにしてある。
（１５）本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記表示部は、前記渋滞長変化分布情報の累積頻度を示す累積曲線を表示する。
【００３９】
表示部は、渋滞長変化分布情報の累積頻度を示す累積曲線を表示する。累積曲線を表示することにより、現状の渋滞長変化量が、過去の渋滞長変化量の統計値に対して、上位からどの程度にあるのかが一層視覚的に把握することができ、過去の渋滞状況と比較して渋滞の深刻さを表示することができる。
【００４０】
（９）本発明の実施の形態に係る交通情報表示装置は、前記表示部は、前記渋滞長分布情報を表示するようにしてある。
【００４１】
表示部は、渋滞長分布情報を表示する。渋滞長分布情報を表示することにより、算出した現状の渋滞長が、渋滞長の頻度分布の上位からどの程度の位置にあるかを表示することができる。また、分布の代表値（例えば、中央値）がどのくらいの値であるか、分布がどれくらいの広がりを持っているのかを確認することができる。また、現状の渋滞長が、過去の渋滞長の統計値に対して、上位からどの程度にあるのかが分かり、過去の渋滞状況と比較して渋滞の深刻さを表示することができる。
【００４２】
（１０）本発明の実施の形態に係る交通情報表示装置は、前記表示部は、前記渋滞長分布情報の累積頻度を示す累積曲線を表示するようにしてある。
【００４３】
表示部は、渋滞長分布情報の累積頻度を示す累積曲線を表示する。累積曲線を表示することにより、現状の渋滞長が、過去の渋滞長の統計値に対して、上位からどの程度にあるのかが一層視覚的に把握することができ、過去の渋滞状況と比較して渋滞の深刻さを表示することができる。
【００４４】
（１１）本発明の実施の形態に係る交通情報表示装置は、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、前記道路網の前記任意の時間帯での渋滞長変化量を所定期間に亘って収集して得られた渋滞長変化量データの頻度を、複数の渋滞長変化量区分毎に累積した累積頻度を示す渋滞長変化分布情報を前記任意の時間帯毎に記憶する記憶部と、前記渋滞長算出部で算出した渋滞長を表示し、前記変化量算出部で算出した渋滞長変化量が前記渋滞長変化分布情報に対して所定の条件を充足する場合に所定の符号を表示する表示部と、前記所定の符号を表示した時間帯と該符号とを関連付けて記憶し、前記渋滞長算出部で算出した渋滞長を時間帯毎に記憶する記憶部とを備え、前記表示部は、前記記憶部に記憶した符号及び渋滞長、並びに前記渋滞長変化分布情報又は渋滞長分布情報の少なくとも１つを時系列的に再表示するようにしてある。
（１６）本発明の実施の形態に係るコンピュータプログラムは、コンピュータを、１又は複数の特定の道路網の任意の時間帯での渋滞長を算出する渋滞長算出部と、該渋滞長算出部で算出した任意の時間帯及び該時間帯と異なる他の時間帯での渋滞長に基づいて、前記任意の時間帯での渋滞長の変化を示す渋滞長変化量を算出する変化量算出部と、該渋滞
長算出部で算出した渋滞長を表示し、前記道路網の前記任意の時間帯での渋滞長変化量を所定期間に亘って収集して得られた渋滞長変化量データの頻度を複数の渋滞長変化量区分毎に累積した累積頻度を示す渋滞長変化分布情報に対して、算出した渋滞長変化量が所定の条件を充足する場合に所定の符号を表示する表示部として機能させ、前記表示部は、前記所定の符号を表示した時間帯と関連付けられた前記符号及び時間帯毎の渋滞長、並びに前記渋滞長変化分布情報又は渋滞長分布情報の少なくとも１つを時系列的に再表示する。
【００４５】
記憶部は、所定の符号を表示した時間帯と当該符号とを関連付けて記憶する。また、記憶部は、渋滞長算出部で算出した渋滞長を時間帯毎に記憶する。表示部は、記憶した符号及び渋滞長、並びに渋滞長変化分布情報又は渋滞長分布情報の少なくとも１つを時系列的に再表示する。これにより、渋滞長の推移、渋滞長変化量が通常の状態と異なる時間帯、及び過去の渋滞状況と比較した渋滞の深刻さなどを必要に応じて何度も確認することができる。
【００４６】
［本願発明の実施形態の詳細］
以下、本発明に係る交通情報表示装置の実施の形態を示す図面に基づいて説明する。なお、以下に記載する実施の形態の少なくとも一部を任意に組み合わせることができる。図１は本実施の形態の交通情報表示装置１００の構成の一例を示すブロック図である。本実施の形態の交通情報表示装置１００は、装置全体を制御する制御部１０、インタフェース部１１、渋滞長算出部１２、渋滞長変化量算出部１３、記憶部１４、表示部１５、分布情報生成部１６、判定部１７、決定部１８などを備える。
【００４７】
インタフェース部１１は、外部の装置（例えば、信号制御装置、交通信号制御機、車両感知器など）から交通管制対象の道路網内の各道路の渋滞長データを取得するインタフェースとしての機能を有する。なお、取得する渋滞長データは、現在の渋滞長データ及び過去の渋滞長データを含む。
【００４８】
記憶部１４は、インタフェース部１１で取得した複数の渋滞長データを記憶する。より具体的には、記憶部１４は、１又は複数の特定の道路網の任意の時間帯での渋滞長を所定期間に亘って収集して得られた複数の渋滞長データを記憶する。
【００４９】
特定の道路網とは、交通管制地域の全地域、指定地域、県境リンク、あるいは高速道路の出入口付近のリンクであり、例えば、交通管制地域が東京都であれば、都内全域、２３区内、京葉道路などの路線（上り及び下り）、都県境のリンク群、高速道又は首都高速道路の出入口に接続するリンク群とすることができる。任意の時間帯は、例えば、１日２４時間を５分毎に区切った５分間（例えば、時刻１７：２５から１７：３０までの５分間）とすることができる。また、所定期間は、渋滞長の統計値を求めることができる程度の期間であればよく、例えば、過去３年間、２年間などである。また、所定期間を平日、土曜日及び日祝日毎に分けてもよい。例えば、所定期間を平日（１年のうち約２５０日）の３年間とし、時間帯を５分とすると、２８８（＝２４×６０／５）に分割された５分単位の渋滞長データが約７５０個（＝３×２５０）収集され記憶部１４に記憶される。
【００５０】
また、記憶部１４は、１又は複数の特定の道路網の任意の時間帯及び当該時間帯と異なる時間帯での渋滞長の変化を示す渋滞長変化量を所定期間に亘って収集して得られた複数の渋滞長変化量データを記憶する。任意の時間帯と異なる時間帯における「異なる」とは、Ｔ分前（Ｔは、例えば、１５）という意味である。任意の時間帯が、例えば、時刻１７：２５から１７：３０までの５分間とすると、異なる１５分前の時間帯は、時刻１７：１０から１７：１５までの５分間とすることができる。
【００５１】
すなわち、渋滞長変化量は、時刻１７：３０での渋滞長と、過去１５分前の時刻１７：１５での渋滞長との変化量であり、渋滞長が減少した場合には渋滞長変化量は負値となり、渋滞長が増加した場合には渋滞長変化量は正値となる。例えば、時刻１７：３０での渋滞長（総渋滞長）が３１５ｋｍであり、過去１５分前の時刻１７：１５での渋滞長（総渋滞長）が３１０ｋｍである場合、渋滞長変化量は５ｋｍである。また、例えば、所定期間を平日（１年のうち約２５０日）の３年間とし、時間帯を５分とすると、２８８（＝２４×６０／５）に分割された５分単位の渋滞長変化量データが、渋滞長データと同様に約７５０個（＝３×２５０）収集され記憶部１４に記憶される。
【００５２】
なお、以下の説明では、１又は複数の特定の道路網として、交通管制地域の指定地域（便宜上、地域Ｓと称する）での渋滞状況の評価に関する表示する方法について説明する。
【００５３】
渋滞長は、朝夕ピーク時、夜間及び昼間で大別され、日々の特性が類似している。また昼間においても１２時台は渋滞が減少するなど、時間単位でも特性が見られる。従って、統計値は日単位のように大きな時間単位ではなく、時間単位以下の単位で集計するのが望ましい。また、過去の日数については、より日数を多くすることで、データ数が多くなるが、交通状況は年と共に変化するので、日数をあまり長くすると、現在の傾向を代表した結果とならない。
【００５４】
次に、渋滞長の統計値に基づく渋滞長分布情報の作成（生成）について説明する。
【００５５】
分布情報生成部１６は、道路網（地域Ｓ）の任意の時間帯での渋滞長を所定期間に亘って収集して得られた渋滞長データの頻度を、複数の渋滞長区分毎に累積した累積頻度を示す渋滞長分布情報を生成する。渋滞長データは、記憶部１４に記憶したものを用いてもよく、あるいは外部の装置から取得するようにしてもよい。分布情報生成部１６は、生成した渋滞長分布情報を記憶部１４に記憶する。
【００５６】
すなわち、記憶部１４は、道路網（地域Ｓ）の任意の時間帯での渋滞長を所定期間に亘って収集して得られた渋滞長データの頻度を、複数の渋滞長区分毎に累積した累積頻度を示す渋滞長分布情報を記憶する。
【００５７】
なお、本実施の形態では、分布情報生成部１６が渋滞長分布情報を生成する構成であるが、これに限定されるものではなく、外部の別個の装置で渋滞長分布情報を生成しておき、生成された渋滞長分布情報を外部の別個の装置から取得（受信）して記憶するようにしてもよい。この場合、分布情報生成部１６は必須の構成ではない。
【００５８】
図２は本実施の形態の交通情報表示装置１００が生成する渋滞長分布情報の一例を示す説明図である。図２において、横軸は渋滞長区分を示し、縦軸は渋滞長区分に該当する渋滞長データの個数である頻度を示す。渋滞長区分は、渋滞長を単位距離（例えば、指定路線の総延長距離を２０〜５０程度の数値で除算して得られる値であり、路線の総延長距離に応じて、１ｋｍ、５ｋｍ、１０ｋｍなどとすることができる）で複数の区分に分けたものであり、例えば、単位距離を５ｋｍとすれば、０〜５ｋｍ、５〜１０ｋｍ、１０〜１５ｋｍの如く分けたものである。
【００５９】
図２に例示した渋滞長分布情報は、過去３年（平日）における時刻１７：３０（より正確には、１７：２５：０１〜１７：３０：００の５分間）での各渋滞長区分の渋滞長データの頻度を示す頻度分布（棒グラフ）、及び各渋滞長区分の渋滞長データの累積頻度（累積割合）を示す頻度の累積曲線を含む。なお、頻度分布及び頻度の累積曲線は、図２に例示した形式に限らず、横棒グラフ、円グラフ、あるいは折れ線グラフなど他の形式のチャートを用いてもよい。
【００６０】
５分間毎の統計値には、過去３年の平日であれば、約７５０日（＝２５０日×３年）の渋滞長データが存在する。また、土曜日、日祝日には、それぞれ１５０程度の渋滞長データが存在する。
【００６１】
また、任意の時間帯（例えば、５分間）の渋滞長とは、計測最小単位(例えば、５０秒の都度１回計測する場合には、６個)の渋滞長データのうちの最大値、平均値、最小値又は上位Ｐ番目の値とすることができる。渋滞長の統計値は、例えば、東京であれば都内全体、２３区内、路線など交通管制対象地域全体、分割された地域及び代表的な路線別に作成し、毎日、月末1回、年末1回など定期的に更新される。
【００６２】
本実施の形態では、５分単位（任意の時間帯）の統計値を過去３年間の渋滞履歴から作成するものとして、以下に、渋滞長統計値の作成方法を記述する。すなわち、統計値は時刻００：００：０１〜００：０５：００、００：０５：０１〜００：１０：００、…、２３：５５：０１〜２４：００：００のように、１日を２８８に分割した５分単位の渋滞情報（統計値）として作成される。すなわち、１日分の渋滞長分布情報としては、図２に例示するようなチャートが２８８個生成され、記憶されることになる。
【００６３】
渋滞長算出部１２は、道路網（地域Ｓ）の任意の時間帯での渋滞長を算出する。渋滞長は、道路網（地域Ｓ）の総渋滞長である。任意の時間帯は、前述のとおり、例えば、１日２４時間を５分毎に区切った５分間（例えば、時刻１７：２５から１７：３０までの５分間）とすることができる。すなわち、時刻１７：３０において算出された渋滞長は、時刻１７：２５から１７：３０までの５分間に算出された値である。
【００６４】
次に、渋滞長算出部１２が算出した渋滞長を過去の統計値である渋滞長分布情報と比較した場合、算出した任意の時間帯の渋滞長が、どの程度深刻であるのか、あるいは深刻であるのか否かを評価する方法について説明する。
【００６５】
図３は渋滞長分布情報に基づく渋滞長の評価方法の一例を示す説明図である。図３は図２に例示した渋滞長分布情報の頻度の累積割合に応じて、渋滞長算出部１２が算出した渋滞長の深刻さを３つの領域に区分して例示したものである。３つの領域は、警告領域（警告ゾーン）、注意領域（注意ゾーン）、通常領域（通常ゾーン）である。
【００６６】
すなわち、渋滞長分布情報の累積頻度を複数（本実施の形態では３つ）の頻度領域に区分してある。複数の頻度領域は、例えば、累積頻度（「頻度の累積割合」とも称する）が上位５％以内の警告領域（警告ゾーン）、累積頻度が上位５％から上位１５％以内の注意領域（注意ゾーン）、累積頻度が上位１５％より下（１５％未満）の通常領域（通常ゾーン）に区分することができる。
【００６７】
図３には、道路網の渋滞例を、それぞれ警告ゾーン、注意ゾーン、及び通常ゾーンに分けて模式的に表示している。警告ゾーンでは、渋滞長算出部１２が算出した渋滞長が過去の統計値である累積頻度における上位５％以内にあるため、例えば、道路網の大部分に渋滞が発生している状況であり、非常に深刻な状態であることが分かる。また、注意ゾーンでは、渋滞長算出部１２が算出した渋滞長が過去の統計値である累積頻度における上位１５％以内にあるため、例えば、道路網の比較的多くの箇所で渋滞が発生している状況であり、注意を喚起すべき状態であることが分かる。また、通常ゾーンでは、渋滞長算出部１２が算出した渋滞長が過去の統計値である累積頻度における上位１５％未満あるため、例えば、渋滞が発生している箇所はそれほど多くなく、特段の施策を行う必要がない状態であることが分かる。
【００６８】
表示部１５は、図２に例示するような渋滞長分布情報を表示することができる。また、表示部１５は、渋滞長分布情報を表示するとともに、渋滞長算出部１２で算出した渋滞長が、渋滞長分布情報のいずれの頻度領域にあるかに応じて渋滞長に関する情報（例えば、符号など）の表示態様を異ならせて表示することができる。本実施の形態では、例えば、渋滞長を示す丸印の符号を累積曲線上に表示するとともに、算出した渋滞長が累積頻度の上位５％以内の警告領域にある場合は、赤色の符号を表示し、算出した渋滞長が累積頻度の上位１５％以内の注意領域にある場合は、黄色の符号を表示し、算出した渋滞長が累積頻度の上位１５％未満の通常領域にある場合は、緑の符号を表示する。なお、表示態様はこれに限定されるものではない。
【００６９】
次に、渋滞長変化量の統計値に基づく渋滞長変化分布情報の作成（生成）について説明する。
【００７０】
分布情報生成部１６は、道路網（地域Ｓ）の任意の時間帯での渋滞長変化量を所定期間に亘って収集して得られた渋滞長変化データの頻度を、複数の渋滞長変化区分毎に累積した累積頻度を示す渋滞長変化分布情報を生成する。渋滞長変化データは、記憶部１４に記憶したものを用いてもよく、あるいは外部の装置から取得するようにしてもよい。分布情報生成部１６は、生成した渋滞長変化分布情報を記憶部１４に記憶する。
【００７１】
すなわち、記憶部１４は、道路網（地域Ｓ）の任意の時間帯での渋滞長変化量を所定期間に亘って収集して得られた渋滞長変化データの頻度を、複数の渋滞長変化区分毎に累積した累積頻度を示す渋滞長変化分布情報を記憶する。
【００７２】
なお、本実施の形態では、分布情報生成部１６が渋滞長変化分布情報を生成する構成であるが、これに限定されるものではなく、外部の別個の装置で渋滞長変化分布情報を生成しておき、生成された渋滞長変化分布情報を外部の別個の装置から取得（受信）して記憶するようにしてもよい。この場合、分布情報生成部１６は必須の構成ではない。
【００７３】
図４は本実施の形態の交通情報表示装置１００が生成する渋滞長変化分布情報の一例を示す説明図である。図４において、横軸は渋滞長変化量区分を示し、縦軸は渋滞長変化量区分に該当する渋滞長変化量データの個数である頻度を示す。渋滞長変化量区分は、渋滞長変化量を単位距離（例えば、過去の渋滞長変化量の最大値と最小値の差分を２０〜５０程度の数値で除算して得られる値であり、例えば、１ｋｍ、２ｋｍ、３ｋｍなどとすることができる）で複数の区分に分けたものであり、例えば、単位距離を１ｋｍとすれば、増加分として０〜１ｋｍ、１〜２ｋｍ、２〜３ｋｍ、…、減少分として−１〜０ｋｍ、−２〜−１ｋｍ、−３〜−２ｋｍ、…の如く分けたものである。
【００７４】
図４に例示した渋滞長変化分布情報は、過去３年（平日）における時刻１７：３０と、１５分前の時刻１７：１５とでの各渋滞長変化区分の渋滞長変化データの頻度を示す頻度分布（棒グラフ）、及び各渋滞長変化区分の渋滞長変化データの累積頻度（累積割合）を示す頻度の累積曲線を含む。なお、頻度分布及び頻度の累積曲線は、図４に例示した形式に限らず、横棒グラフ、円グラフ、あるいは折れ線グラフなど他の形式のチャートを用いてもよい。
【００７５】
渋滞長変化量とは、現在の渋滞長と、過去、例えば、現在から任意の時間帯（例えば５分間）の整数倍だけ前の時点での渋滞長との差異である。本実施の形態では、１５分前としている。すなわち、現在が時刻１７：２５：０１〜１７：３０：００の５分間である場合、渋滞長変化量は、時刻１７：３０：００での渋滞長と、１５分前の１７：１５：００での渋滞長との差である。渋滞が減少した場合は負値となり、増加した場合は正値となる。なお、過去１５分前に限定されるものではなく、過去５分前、１０分前、２０分前等であってもよい。
【００７６】
渋滞長変化量の統計値は、渋滞長の統計値と同様に、１日を２８８に分割した５分単位の渋滞情報（統計値）として作成される。５分間毎の統計値には、過去３年の平日であれば、約７５０日（＝２５０日×３年）の渋滞長変化量データが存在する。また、土曜日、日祝日には、それぞれ１５０程度の渋滞長変化量データが存在する。
【００７７】
また、任意の時間帯（例えば、５分間）の渋滞長変化量の統計値は、例えば、東京であれば都内全体、２３区内、路線など交通管制対象地域全体、分割された地域及び代表的な路線別に作成し、毎日、月末１回、年末１回など定期的に更新される。
【００７８】
以上のように、図４に例示する渋滞長変化分布情報としての頻度分布及び頻度の累積曲線は、地域Ｓの時刻１７：３０での総渋滞長と、１５分前の時刻１７：１５での総渋滞長との差である渋滞長変化量を過去３年間（平日とする）の間収集した、７５０個（３年分）の渋滞長変化量データの分布状態を表す。
【００７９】
また、任意の時間帯を５分間とした場合、１日を２８８に分割した５分単位の渋滞情報（統計値）として作成される。すなわち、１日分の渋滞長変化分布情報としては、図４に例示するようなチャートが２８８個生成され、記憶部１４に記憶されることになる。
【００８０】
渋滞長変化量算出部１３は、変化量算出部としての機能を有し、渋滞長算出部１２で算出した任意の時間帯及び任意の時間帯と異なる他の時間帯での渋滞長に基づいて、任意の時間帯での渋滞長の変化を示す渋滞長変化量を算出する。渋滞長変化量は、道路網（地域Ｓ）の総渋滞長の変化量である。
【００８１】
任意の時間帯と異なる時間帯における「異なる」とは、Ｔ分前（Ｔは、例えば、１５）という意味である。任意の時間帯が、例えば、時刻１７：２５から１７：３０までの５分間とすると、異なる１５分前の時間帯は、時刻１７：１０から１７：１５までの５分間とすることができる。すなわち、渋滞長変化量は、時刻１７：３０での渋滞長と、１５分前の時刻１７：１５での渋滞長との変化量であり、渋滞長が減少した場合には渋滞長変化量は負値となり、渋滞長が増加した場合には渋滞長変化量は正値となる。
【００８２】
次に、渋滞長変化量算出部１３が算出した渋滞長変化量を過去の統計値である渋滞長変化分布情報と比較した場合、算出した任意の時間帯の渋滞長変化量が、どの程度深刻であるのか、あるいは深刻であるのか否かを評価する方法について説明する。
【００８３】
図５は渋滞長変化分布情報に基づく渋滞長変化量の評価方法の一例を示す説明図である。図５は図４に例示した渋滞長変化分布情報の頻度の累積割合に応じて、渋滞長変化量算出部１３が算出した渋滞長変化量の深刻さを２つの領域に区分して例示したものである。２つの領域は、警告領域（警告ゾーン）、通常領域（通常ゾーン）である。
【００８４】
すなわち、渋滞長変化分布情報の累積頻度を複数の頻度領域に区分してある。複数の頻度領域は、例えば、累積頻度が上位１０％以内の警告領域（警告ゾーン）、累積頻度が上位１０％より下（１０％未満）の通常領域（通常ゾーン）に区分することができる。
【００８５】
図５に示すように、警告ゾーンでは、渋滞長変化量算出部１３が算出した渋滞長変化量が過去の統計値である累積頻度における上位１０％以内にあるため、例えば、渋滞長が急激に又は異常に増加している状況であり、非常に深刻な状態であることが分かる。一方、通常ゾーンでは、渋滞長変化量算出部１３が算出した渋滞長変化量が過去の統計値である累積頻度における上位１０％未満あるため、例えば、渋滞長の変化（増大）がそれほど急激ではなく、特段の施策を行う必要がない状態であることが分かる。
【００８６】
表示部１５は、図４に例示するような渋滞長変化分布情報を表示することができる。また、表示部１５は、渋滞長変化分布情報を表示するとともに、渋滞長変化量算出部１３で算出した渋滞長変化量が、渋滞長変化分布情報のいずれの頻度領域にあるかに応じて渋滞長変化量に関する情報（例えば、符号など）の表示態様を異ならせて表示することができる。本実施の形態では、例えば、渋滞長変化量を示す丸印の符号を累積曲線上に表示するとともに、算出した渋滞長変化量が累積頻度の上位１０％以内の警告領域にある場合は、黒色の符号を表示し、算出した渋滞長変化量が累積頻度の上位１０％未満の通常領域にある場合は、白色の符号を表示する。なお、表示態様はこれに限定されるものではない。
【００８７】
次に、渋滞長及び渋滞長変化量の統計値を用いて現在（任意の時間帯）の渋滞を評価し、その結果を交通管理者に視覚的に通知する機能について説明する。
【００８８】
図６は本実施の形態の交通情報表示装置１００が表示部１５に表示する渋滞の評価結果の一例を示す模式図である。なお、表示部１５は、交通情報表示装置１００内に設けてもよく、あるいは通信線等を介して交通情報表示装置１００とは別個の外部装置に設けてもよい。
【００８９】
図６において、横軸は時間を示す。横軸に示す時間は、１日２４時間（午前０：００から午後１２：００まで）でもよく、あるいは特定の時間帯（例えば、朝、夕方などの渋滞状況が変化しやすい時間帯など）でもよい。図６の例では、便宜上６：２５頃から１０：２５頃までの時間帯を例示している。図６において、縦軸は道路網（地域Ｓ）における渋滞長（総渋滞長）を示す。
【００９０】
図６において、破線で示す曲線は、過去３年間（平日）の５分毎の平均渋滞長（渋滞長統計値の中央値）の推移を示す。すなわち、破線で示す曲線は、過去３年間の同じ時間帯（５分間）の渋滞長を平均したものである。図６の例は平日であるので、過去３年間の平日の渋滞長データを基に求めた平均渋滞長である。なお、比較対象が平日ではなく、土曜日、日曜日である場合には、同日種の平均渋滞長となる。過去３年間（平日）の平均渋滞長を表示することにより、現在の渋滞長が過去の平均値に比べて長いのか、あるいは短いのかを直ちに見極めることが可能となる。
【００９１】
図６において、実線で示す曲線は、当日の渋滞長の推移を示す。すなわち、表示部１５は、渋滞長算出部１２で算出した渋滞長を表示する。例えば、１日２４時間を５分毎に区切った５分間（任意の時間帯）毎に渋滞長を算出する場合、表示部１５は、５分毎の渋滞長の推移を表示する。図６の例は、６：００から５分毎に算出された渋滞長がプロットされ、現時点（９：３５）までの推移を示す。なお、表示部１５で渋滞長を表示する場合、１日２４時間全部を表示してもよいが、特定の時間帯（例えば、午前６：００から午後８：００などのように交通量が比較的多い時間帯）だけの渋滞長の推移を表示するようにしてもよい。
【００９２】
実線で示す当日の渋滞長の推移において、丸（○）で示す符号は、現在（任意の時間帯）の渋滞長を示す渋滞長符号である。また、菱形（◇）で示す符号は、現在（任意の時間帯）の所定時間（例えば、１５分）前の渋滞長を示す渋滞長符号である。現在の渋滞長符号（○）の近傍には、渋滞長Ｌｃを表示するとともに、過去１５分前の渋滞長符号（◇）の近傍には、渋滞長Ｌｐを表示する。
【００９３】
図７は渋滞長符号の表示態様の一例を示す説明図である。渋滞長符号の表示態様を異ならせることにより、交通管理者に対して、渋滞長の状況の違いを視覚的に通知することができる。例えば、図７に示すように、渋滞長符号を赤色で表示した場合には、現在の渋滞長が渋滞長分布情報の頻度分布の上位５％以内（図３で例示した警告領域内）にあることを示す。また、渋滞長符号を黄色で表示した場合には、現在の渋滞長が渋滞長分布情報の頻度分布の上位１５％以内（図３で例示した注意領域内）にあることを示す。また、渋滞長符号を緑色で表示した場合には、現在の渋滞長が渋滞長分布情報の頻度分布の上位１５％未満（図３で例示した通常領域内）にあることを示す。
【００９４】
また、図７に示すように、渋滞長符号を点滅で表示した場合には、現在の渋滞長変化量が渋滞長変化分布情報の頻度分布の上位１０％以内（図５で例示した警告領域内）にあることを示す。また、渋滞長符号を点滅させないで表示した場合には、現在の渋滞長変化量が渋滞長変化分布情報の頻度分布の上位１０％未満（図５で例示した通常領域内）にあることを示す。
【００９５】
従って、例えば、渋滞長符号を赤色でかつ点滅させて表示する場合は、現在の渋滞長が渋滞長分布情報の頻度分布の上位５％以内（図３で例示した警告領域内）にあり、かつ現在の渋滞長変化量が渋滞長変化分布情報の頻度分布の上位１０％以内（図５で例示した警告領域内）にあることを示す。また、渋滞長符号を赤色でかつ点滅させないで表示する場合は、現在の渋滞長が渋滞長分布情報の頻度分布の上位５％以内（図３で例示した警告領域内）にあり、かつ現在の渋滞長変化量が渋滞長変化分布情報の頻度分布の上位１０％未満（図５で例示した通常領域内）にあることを示す。他の色についても同様である。
【００９６】
上述のように、現在の渋滞長の推移と平均渋滞長（渋滞長統計中央値）の推移とを同一領域（画面）に同時に描画することにより、交通管理者に対して現在の渋滞変化の状況を視覚的に情報提供することができる。また、渋滞長符号の表示態様を渋滞状況に応じて異ならせることにより、渋滞の深刻さの程度、及び深刻であるのか否かを直感的に通知することができる。
【００９７】
また、実線で示す当日の渋滞長の推移において、逆三角形（▽）で示す符号は、所定の符号であり、現在（任意の時間帯）の渋滞長変化量が増加したことを示す渋滞長変化量増加検出符号（以下、「検出符号」とも称する）である。
【００９８】
すなわち、表示部１５は、渋滞長変化量算出部１３で算出した任意の時間帯でも渋滞長変化量が、当該任意の時間帯での渋滞長変化分布情報に対して所定の条件を充足する場合に、当該任意の時間帯において所定の符号としての検出符号を表示する。なお、所定の条件については後述する。
【００９９】
１日２４時間を５分毎に区切った５分間毎に渋滞長を算出する場合、渋滞長変化量も１日２４時間を５分毎に区切った５分間毎又は５分間の整数倍毎に算出することができる。所定の条件は、例えば、算出した渋滞長変化量と渋滞長変化分布情報とを比較した場合に、算出した渋滞長変化量が通常の状態と異なるのか否かを把握することができる条件であればよい。例えば、早急な渋滞抑止策が必要となる程度に渋滞長変化量が増加したのか否かが判ればよい。検出符号（所定の符号）は、例えば、図６に例示するように逆三角形でもよく、あるいは他の適宜の形状の図形や文字などを用いることができる。時間帯毎に渋滞長の推移を表示しつつ所定の条件を充足した場合には、検出符号（所定の符号）が表示されるので、渋滞状況の連続的な傾向を把握することができる。
【０１００】
図８は渋滞長変化量増加検出符号（検出符号）の表示態様の一例を示す説明図である。表示部１５は、渋滞長算出部１２で算出した渋滞長に応じて検出符号を異なる表示態様で表示する。異なる表示態様とは、例えば、検出符号の色を変えること、あるいは検出符号の形状又は大きさを変えることである。検出符号の色を変える場合には、早急な渋滞抑止策が必要となるときには検出符号の色を赤色にし、渋滞抑止策を準備すべく注意を促すときには検出符号の色を黄色にし、特段渋滞抑止策を行う必要がないときには検出符号の色を緑色などとすることができる。
【０１０１】
より具体的には、渋滞長変化量算出部１３で算出した任意の時間帯でも渋滞長変化量が、当該任意の時間帯での渋滞長変化分布情報に対して所定の条件を充足する場合（すなわち、検出符号を表示させるための所定の条件が充足する場合）に、表示部１５は、渋滞長算出部１２で算出した渋滞長が、渋滞長の統計値である渋滞長分布情報の累積頻度のいずれの頻度領域区分にあるかに応じて検出符号を異なる表示態様で表示する。例えば、図８に示すように、検出符号を赤色で表示した場合には、現在の渋滞長が渋滞長分布情報の頻度分布の上位５％以内（図３で例示した警告領域内）にあることを示す。また、検出符号を黄色で表示した場合には、現在の渋滞長が渋滞長分布情報の頻度分布の上位１５％以内（図３で例示した注意領域内）にあることを示す。また、検出符号を緑色で表示した場合には、現在の渋滞長が渋滞長分布情報の頻度分布の上位１５％未満（図３で例示した通常領域内）にあることを示す。これにより、交通管理者は、渋滞状況の変化を視覚的に把握することができ、渋滞抑止策を迅速かつタイムリーに行うことができる。
【０１０２】
次に、検出符号を画面上に表示（描画）するための所定の条件について説明する。
【０１０３】
判定部１７は、渋滞長変化量算出部１３で算出した渋滞長変化量が複数の時間帯で所定回数以上所定の頻度領域区分にある場合、検出符号を表示（検出）するための所定の条件を充足すると判定することができる。例えば、複数の時間帯を連続する３つの時間帯とし、所定回数を２回とし、所定の頻度領域区分を渋滞長変化量の累積頻度が上位１０％以内の警告領域とした場合、１５分間（３つの時間帯）の間に算出された３回の渋滞長変化量のうち、２回の渋滞長変化量が警告領域にあるときは、所定の条件を充足すると判定することができる。判定部１７を備えることにより、渋滞長変化量の一過性のゆらぎを除外することができ、渋滞長変化量が通常と異なり異常に増加しているのか否かを正確に把握することができる。
【０１０４】
決定部１８は、渋滞長算出部１２で算出した任意の時間帯での渋滞長に基づいて前述の所定回数を決定することができる。例えば、渋滞長が長い場合には、迅速に渋滞抑止策を実施する必要があるので、所定回数を少なくして渋滞長変化量が警告領域にある場合は速やかに所定条件を充足すると判定することができる。一方、渋滞長が長くない場合には、渋滞抑止策を速やかに実施する緊急性は高くないので、所定回数を多くして渋滞長変化量が繰り返し警告領域に入った場合には所定条件を充足すると判定することができる。決定部１８を備えることにより、渋滞長を加味することができ、所定の条件を充足するか否かを的確に判定することができる。
【０１０５】
より具体的には、決定部１８は、渋滞長算出部１２で算出した任意の時間帯での渋滞長がいずれの頻度領域区分にあるかに応じて、所定回数を決定する。
【０１０６】
図９は検出符号を表示するための所定の条件（検出条件）の一例を示す説明図である。図９に示すように、現在（任意の時間帯）の渋滞長が、頻度分布の上位５％以内である警告領域にある場合は、検出条件（以下、「検出閾値」とも称する）は、渋滞長変化量が複数（Ｎ）の時間帯で（Ｍ１）回所定の頻度領域（上位１０％以内である警告領域）にあることとする。この場合、検出符号の表示態様は、渋滞長が頻度分布の上位５％以内にあるので図８に例示したように赤色（警告）となる。
【０１０７】
また、現在（任意の時間帯）の渋滞長が、頻度分布の上位１５％以内である注意領域にある場合は、検出条件（検出閾値）は、渋滞長変化量が複数（Ｎ）の時間帯で（Ｍ２）回所定の頻度領域（上位１０％以内である警告領域）にあることとする。この場合、検出符号の表示態様は、渋滞長が頻度分布の上位１５％以内にあるので図８に例示したように黄色（注意）となる。
【０１０８】
また、現在（任意の時間帯）の渋滞長が、頻度分布の上位１５％未満である通常領域にある場合は、検出条件（検出閾値）は、渋滞長変化量が複数（Ｎ）の時間帯で（Ｍ３）回所定の頻度領域（上位１０％以内である警告領域）にあることとする。この場合、検出符号の表示態様は、渋滞長が頻度分布の上位１５％未満にあるので図８に例示したように緑色（留意、通常）となる。
【０１０９】
図９の検出条件において、Ｍ１＜Ｍ２＜Ｍ３≦Ｎである。後述の実施例においては、Ｎ＝３（複数の時間帯を連続する３つの時間帯とする）、Ｍ１＝１、Ｍ２＝２、Ｍ３＝３として説明するが、Ｍ１、Ｍ２、Ｍ３、Ｎの値はこれらに限定されるものではない。
【０１１０】
図９に例示するような構成とすることにより、渋滞長の通常の状態に対する現在の渋滞長の異常度合を加味することができ、所定の条件を充足するか否かを的確に判定することができる。また、検出符号を表示することにより、渋滞長の推移に通常と異なる動きがあることを速やかに交通管理者に通知することができる。また、緑色の検出符号が表示された場合には、早急に対応する必要はないが、黄色の検出符号が表示された場合には、注意が必要であり、赤色の検出符号が表示された場合には、早急な渋滞抑制策が必要となることが直ちに分かる。
【０１１１】
次に、本実施の形態の交通情報表示装置１００による渋滞評価の表示例について説明する。
【０１１２】
図１０、図１１、図１２及び図１３は本実施の形態の交通情報表示装置１００による渋滞評価の表示の第１例を示す説明図である。図１０は当日の時刻９：２５における表示例であり、図１１は図１０の５分後の時刻９：３０における表示例であり、図１２は図１１の５分後の時刻９：３５における表示例であり、図１３は当日の時刻１９：５０における表示例である。各図において、上段の図は、図６に例示した図と同様の渋滞長の推移を示す図であり、下段左側の図は、図２に例示した図と同様の渋滞長の頻度分布を示す図であり、下段右側の図は、図４に例示した図と同様の渋滞長変化量の頻度分布を示す図である。
【０１１３】
図１０の上段の図に示すように、時刻９：２５における渋滞長は、２２０ｋｍであり、当該渋滞長２２０ｋｍが、渋滞長の頻度分布の上位１５％以内にあるので、渋滞長符号（○）は黄色で表示されている。また、下段左側の図には、時刻９：２５における渋滞長が、頻度の累積曲線上でどの程度の位置（上位からどの程度の位置）にあるのかを黄色の符号○で示している。また、下段右側の図には、時刻９：２５における渋滞長変化量が、頻度の累積曲線上でどの程度の位置（上位からどの程度の位置）にあるのかを符号○で示している。この場合、渋滞長変化量が頻度分布の上位１０％未満であるので、渋滞変化量は白色の符号○で表示されている。
【０１１４】
図１０の上段の図の時刻８：２５から時刻８：５５の間に検出符号（▽）が残った状態で表示されている。表示された検出符号をすべて残して表示してもよく、あるいは、図９に例示したように検出符号を赤色及び黄色で表示した場合に表示を残すようにしてもよい。
【０１１５】
また、渋滞長符号（○）は、任意の時間帯で以下の条件（１）〜（３）を満たす場合に、当該任意の時間帯において表示を残す。条件（１）は、当該任意の時間帯の渋滞長が渋滞長の頻度分布の上位５％以内にあり、かつ検出符号を表示させる検出条件を充足しない場合には、渋滞長符号（赤色）を表示したまま残す。条件（２）は、当該任意の時間帯の渋滞長が渋滞長の頻度分布の上位１５％以内にあり、かつ検出符号を表示させる検出条件を充足しない場合には、渋滞長符号（黄色）を表示したまま残す。条件（３）は、当該任意の時間帯の渋滞長が渋滞長の頻度分布の上位１５％未満にあり、かつ検出符号を表示させる検出条件を充足しない場合には、渋滞長符号（緑色）を表示したまま残す。なお、緑色の渋滞長符号は、検出条件の充足如何にかかわらず表示を残さないようにしてもよい。検出符号が表示される場合（検出条件を充足する場合）には、検出符号の表示態様で渋滞長の状況が解るので、渋滞長符号を表示する必要がないからである。渋滞長符号の表示を残すことにより、検出符号が表示される条件が充足しない場合でも渋滞長の状況を把握することができる。
【０１１６】
図１０の時刻９：２５においては、渋滞長は頻度分布の上位１５％以内であるので、検出条件（検出閾値）は、図９の例に基づけば、渋滞長変化量が、３つの時間帯で２回だけ頻度分布の上位１０％以内にあることである。これを言い換えれば、図１０に示すように、検出閾値は、渋滞長変化量が頻度分布の１０％以内にある状態が直近３周期のうち２周期にある（「２周期／直近３周期」と表する）ことである。そして、時刻９：２５、時刻９：２０、時刻９：１５の直近の３周期において渋滞長変化量は１度も頻度分布の上位１０％以内にない（これを「０周期／直近３周期」と表する）。すなわち、時刻９：２５においては検出条件を充足しない（これを「（０周期／直近３周期）＜（２周期／直近３周期）」と表する）ので検出符号を表示しない。検出符号が表示されないので、時刻９：２５において黄色の渋滞長符号（○）が表示されるとともに、表示された渋滞長符号はそのままの表示が残される。
【０１１７】
次に、図１１の上段の図に示すように、５分後の時刻９：３０における渋滞長は、２２７ｋｍであり、当該渋滞長２２７ｋｍが、渋滞長の頻度分布の上位１５％以内にあるので、渋滞長符号（○）は黄色で表示されている。また、下段左側の図には、時刻９：３０における渋滞長が、頻度の累積曲線上でどの程度の位置（上位からどの程度の位置）にあるのかを黄色の符号○で示している。また、下段右側の図には、時刻９：３０における渋滞長変化量が、頻度の累積曲線上でどの程度の位置（上位からどの程度の位置）にあるのかを符号○で示している。この場合、渋滞長変化量が頻度分布の上位１０％未満であるので、渋滞変化量は白色の符号○で表示されている。
【０１１８】
図１１の時刻９：３０においては、渋滞長は頻度分布の上位１５％以内であるので、検出条件（検出閾値）は、図９の例に基づけば、渋滞長変化量が、３つの時間帯で２回だけ頻度分布の上位１０％以内にあることである。これを言い換えれば、図１１に示すように、検出閾値は、渋滞長変化量が頻度分布の１０％以内にある状態が直近３周期のうち２周期にある（「２周期／直近３周期」と表する）ことである。そして、時刻９：３０、時刻９：２５、時刻９：２０の直近の３周期において渋滞長変化量は１度も頻度分布の上位１０％以内にない（これを「０周期／直近３周期」と表する）。すなわち、時刻９：３０においては検出条件を充足しない（これを「（０周期／直近３周期）＜（２周期／直近３周期）」と表する）ので検出符号を表示しない。検出符号が表示されないので、時刻９：３０において黄色の渋滞長符号（○）が表示されるとともに、表示された渋滞長符号はそのままの表示が残される。
【０１１９】
次に、図１２の上段の図に示すように、さらに５分後の時刻９：３５における渋滞長は、２３８ｋｍであり、当該渋滞長２３８ｋｍが、渋滞長の頻度分布の上位５％以内にあるので、渋滞長符号（○）は赤色で表示されている。また、下段左側の図には、時刻９：３５における渋滞長が、頻度の累積曲線上でどの程度の位置（上位からどの程度の位置）にあるのかを赤色の符号○で示している。また、下段右側の図には、時刻９：３５における渋滞長変化量が、頻度の累積曲線上でどの程度の位置（上位からどの程度の位置）にあるのかを符号○で示している。この場合、渋滞長変化量が頻度分布の上位１０％以内であるので、渋滞変化量は黒色の符号○で表示されている。
【０１２０】
図１２の時刻９：３５においては、渋滞長は頻度分布の上位５％以内であるので、検出条件（検出閾値）は、図９の例に基づけば、渋滞長変化量が、３つの時間帯で１回だけ頻度分布の上位１０％以内にあることである。これを言い換えれば、図１２に示すように、検出閾値は、渋滞長変化量が頻度分布の１０％以内にある状態が直近３周期のうち１周期にある（「１周期／直近３周期」と表する）ことである。そして、時刻９：３５、時刻９：３０、時刻９：２５の直近の３周期のうち、時刻９：３５において渋滞長変化量は１度だけ頻度分布の上位１０％以内にある（これを「１周期／直近３周期」と表する）。すなわち、時刻９：３５においては検出条件を充足する（これを「（１周期／直近３周期）＝（１周期／直近３周期）」と表する）ので検出符号を表示する。検出符号が表示されるので、この場合には、渋滞長符号が表示されない。
【０１２１】
図１３の例は、時刻６：００から時刻１９：５０までの渋滞長の推移、渋滞長変化量が増加した時刻を時系列に表示したものである。
【０１２２】
上述のように、表示部１５は、渋滞長分布情報、すなわち渋滞長の頻度分布を表示する。渋滞長分布情報を表示することにより、算出した現状の渋滞長が、渋滞長の頻度分布の上位からどの程度の位置にあるかを表示することができる。また、分布の代表値（例えば、中央値）がどのくらいの値であるか、分布がどれくらいの広がりを持っているのかを確認することができる。また、現状の渋滞長が、過去の渋滞長の統計値に対して、上位からどの程度にあるのかが分かり、過去の渋滞状況と比較して渋滞の深刻さを表示することができる。
【０１２３】
また、表示部１５は、渋滞長分布情報の累積頻度を示す累積曲線を表示する。累積曲線を表示することにより、現状の渋滞長が、過去の渋滞長の統計値に対して、上位からどの程度にあるのかが一層視覚的に把握することができ、過去の渋滞状況と比較して渋滞の深刻さを表示することができる。
【０１２４】
また、表示部１５は、渋滞長変化分布情報、すなわち渋滞長変化量の頻度分布を表示する。渋滞長変化分布情報を表示することにより、算出した現状の渋滞長変化量が、渋滞長変化量の頻度分布の上位からどの程度の位置にあるかを表示することができる。また、分布の代表値（例えば、中央値）がどのくらいの値であるか、分布がどれくらいの広がりを持っているのかを確認することができる。また、現状の渋滞長変化量が、過去の渋滞長変化量の統計値に対して、上位からどの程度にあるのかが分かり、過去の渋滞状況と比較して渋滞の深刻さを表示することができる。
【０１２５】
さらに、表示部１５は、渋滞長変化分布情報の累積頻度を示す累積曲線を表示する。累積曲線を表示することにより、現状の渋滞長変化量が、過去の渋滞長変化量の統計値に対して、上位からどの程度にあるのかが一層視覚的に把握することができ、過去の渋滞状況と比較して渋滞の深刻さを表示することができる。
【０１２６】
図１４、図１５、図１６、図１７、図１８、図１９及び図２０は本実施の形態の交通情報表示装置１００による渋滞評価の表示の第２例を示す説明図である。第２例は、第１例とは、異なる日における渋滞評価を示す。図１４は当日の時刻１５：５０における表示例であり、図１５は図１４の５分後の時刻１５：５５における表示例であり、図１６は図１５の５分後の時刻１６：００における表示例であり、図１７は図１６の５分後の時刻１６：０５における表示例であり、図１８は図１７の５分後の時刻１６：１０における表示例である。また、図１９は時刻１７：４０における表示例であり、図２０は時刻１９：５０における表示例である。
【０１２７】
図１４の上段の図に示すように、時刻１５：５０における渋滞長は、１７３ｋｍであり、当該渋滞長１７３ｋｍが、渋滞長の頻度分布の上位１５％未満にあるので、渋滞長符号（○）は緑色で表示されている。また、下段左側の図には、時刻１５：５０における渋滞長が、頻度の累積曲線上でどの程度の位置（上位からどの程度の位置）にあるのかを緑色の符号○で示している。また、下段右側の図には、時刻１５：５０における渋滞長変化量が、頻度の累積曲線上でどの程度の位置（上位からどの程度の位置）にあるのかを符号○で示している。この場合、渋滞長変化量が頻度分布の上位１０％以内であるので、渋滞変化量は黒色の符号○で表示されている。
【０１２８】
図１４の時刻１５：５０においては、渋滞長は頻度分布の上位１５％未満であるので、検出条件（検出閾値）は、図９の例に基づけば、渋滞長変化量が、３つの時間帯で３回頻度分布の上位１０％以内にあることである。これを言い換えれば、図１４に示すように、検出閾値は、渋滞長変化量が頻度分布の１０％以内にある状態が直近３周期のうち３周期にある（「３周期／直近３周期」と表する）ことである。そして、時刻１５：５０、時刻１５：４５、時刻１５：４０の直近の３周期において渋滞長変化量は１度だけ（時刻１５：５０）頻度分布の上位１０％以内にある（これを「１周期／直近３周期」と表する）。すなわち、時刻１５：５０においては検出条件を充足しない（これを「（１周期／直近３周期）＜（３周期／直近３周期）」と表する）ので検出符号を表示しない。検出符号が表示されないので、時刻１５：５０において緑色の渋滞長符号（○）が表示されるとともに、表示された渋滞長符号はそのままの表示が残される。
【０１２９】
次に、図１５の上段の図に示すように、時刻１５：５５における渋滞長は、１７０ｋｍであり、当該渋滞長１７０ｋｍが、渋滞長の頻度分布の上位１５％未満にあるので、渋滞長符号（○）は緑色で表示されている。また、下段左側の図には、時刻１５：５５における渋滞長が、頻度の累積曲線上でどの程度の位置（上位からどの程度の位置）にあるのかを緑色の符号○で示している。また、下段右側の図には、時刻１５：５５における渋滞長変化量が、頻度の累積曲線上でどの程度の位置（上位からどの程度の位置）にあるのかを符号○で示している。この場合、渋滞長変化量が頻度分布の上位１０％以内であるので、渋滞変化量は黒色の符号○で表示されている。
【０１３０】
図１５の時刻１５：５５においては、渋滞長は頻度分布の上位１５％未満であるので、検出条件（検出閾値）は、図９の例に基づけば、渋滞長変化量が、３つの時間帯で３回頻度分布の上位１０％以内にあることである。これを言い換えれば、図１５に示すように、検出閾値は、渋滞長変化量が頻度分布の１０％以内にある状態が直近３周期のうち３周期にある（「３周期／直近３周期」と表する）ことである。そして、時刻１５：５５、時刻１５：５０、時刻１５：４５の直近の３周期において渋滞長変化量は２度（時刻１５：５０、時刻１５：５５）頻度分布の上位１０％以内にある（これを「２周期／直近３周期」と表する）。すなわち、時刻１５：５５においては検出条件を充足しない（これを「（２周期／直近３周期）＜（３周期／直近３周期）」と表する）ので検出符号を表示しない。検出符号が表示されないので、時刻１５：５５において緑色の渋滞長符号（○）が表示されるとともに、表示された渋滞長符号はそのままの表示が残される。
【０１３１】
次に、図１６の上段の図に示すように、時刻１６：００における渋滞長は、１７６ｋｍであり、当該渋滞長１７６ｋｍが、渋滞長の頻度分布の上位１５％未満にあるので、渋滞長符号（○）は緑色で表示されている。また、下段左側の図には、時刻１６：００における渋滞長が、頻度の累積曲線上でどの程度の位置（上位からどの程度の位置）にあるのかを緑色の符号○で示している。また、下段右側の図には、時刻１６：００における渋滞長変化量が、頻度の累積曲線上でどの程度の位置（上位からどの程度の位置）にあるのかを符号○で示している。この場合、渋滞長変化量が頻度分布の上位１０％以内であるので、渋滞変化量は黒色の符号○で表示されている。
【０１３２】
図１６の時刻１６：００においては、渋滞長は頻度分布の上位１５％未満であるので、検出条件（検出閾値）は、図９の例に基づけば、渋滞長変化量が、３つの時間帯で３回頻度分布の上位１０％以内にあることである。これを言い換えれば、図１６に示すように、検出閾値は、渋滞長変化量が頻度分布の１０％以内にある状態が直近３周期のうち３周期にある（「３周期／直近３周期」と表する）ことである。そして、時刻１６：００、時刻１５：５５、時刻１５：５０の直近の３周期において渋滞長変化量は３度（時刻１５：５０、時刻１５：５５、時刻１６：００）頻度分布の上位１０％以内にある（これを「３周期／直近３周期」と表する）。すなわち、時刻１６：００においては検出条件を充足する（これを「（３周期／直近３周期）＝（３周期／直近３周期）」と表する）ので検出符号を表示する。また、時刻１６：００における渋滞長は、頻度分布の上位１５％未満であるので、検出符号は、緑色で表示される。また、検出符号が表示されるので、この場合には、渋滞長符号が表示されない。
【０１３３】
次に、図１７の上段の図に示すように、時刻１６：０５における渋滞長は、１８３ｋｍであり、当該渋滞長１８３ｋｍが、渋滞長の頻度分布の上位１５％以内にあるので、渋滞長符号（○）は黄色で表示されている。また、下段左側の図には、時刻１６：０５における渋滞長が、頻度の累積曲線上でどの程度の位置（上位からどの程度の位置）にあるのかを黄色の符号○で示している。また、下段右側の図には、時刻１６：０５における渋滞長変化量が、頻度の累積曲線上でどの程度の位置（上位からどの程度の位置）にあるのかを符号○で示している。この場合、渋滞長変化量が頻度分布の上位１０％以内であるので、渋滞変化量は黒色の符号○で表示されている。
【０１３４】
図１７の時刻１６：０５においては、渋滞長は頻度分布の上位１５％以内であるので、検出条件（検出閾値）は、図９の例に基づけば、渋滞長変化量が、３つの時間帯で２回頻度分布の上位１０％以内にあることである。これを言い換えれば、図１７に示すように、検出閾値は、渋滞長変化量が頻度分布の１０％以内にある状態が直近３周期のうち２周期にある（「２周期／直近３周期」と表する）ことである。そして、時刻１６：０５、時刻１６：００、時刻１５：５５の直近の３周期において渋滞長変化量は３度（時刻１５：５５、時刻１６：００、時刻１６：０５）頻度分布の上位１０％以内にある（これを「３周期／直近３周期」と表する）。すなわち、時刻１６：０５においては検出条件を充足する（これを「（３周期／直近３周期）＞（２周期／直近３周期）」と表する）ので検出符号を表示する。また、時刻１６：０５における渋滞長は、頻度分布の上位１５％以内であるので、検出符号は、黄色で表示される。また、検出符号が表示されるので、この場合には、渋滞長符号が表示されない。
【０１３５】
次に、図１８の上段の図に示すように、時刻１６：１０における渋滞長は、１７５ｋｍであり、当該渋滞長１７５ｋｍが、渋滞長の頻度分布の上位１５％未満にあるので、渋滞長符号（○）は緑色で表示されている。また、下段左側の図には、時刻１６：１０における渋滞長が、頻度の累積曲線上でどの程度の位置（上位からどの程度の位置）にあるのかを緑色の符号○で示している。また、下段右側の図には、時刻１６：１０における渋滞長変化量が、頻度の累積曲線上でどの程度の位置（上位からどの程度の位置）にあるのかを符号○で示している。この場合、渋滞長変化量が頻度分布の上位１０％未満であるので、渋滞変化量は白色の符号○で表示されている。
【０１３６】
図１８の時刻１６：１０においては、渋滞長は頻度分布の上位１５％未満であるので、検出条件（検出閾値）は、図９の例に基づけば、渋滞長変化量が、３つの時間帯で３回頻度分布の上位１０％以内にあることである。これを言い換えれば、検出閾値は、渋滞長変化量が頻度分布の１０％以内にある状態が直近３周期のうち３周期にある（「３周期／直近３周期」と表する）ことである。そして、時刻１６：１０、時刻１６：０５、時刻１６：００の直近の３周期において渋滞長変化量は２度（時刻１６：００、時刻１６：０５）頻度分布の上位１０％以内にある（これを「２周期／直近３周期」と表する）。すなわち、時刻１６：１０においては検出条件を充足しない（これを「（２周期／直近３周期）＜（３周期／直近３周期）」と表する）ので検出符号を表示しない。検出符号が表示されないので、時刻１６：１０において緑色の渋滞長符号（○）が表示されるとともに、表示された渋滞長符号はそのままの表示が残される。
【０１３７】
また、図１９の上段の図に示すように、時刻１７：４０における渋滞長は、３１５ｋｍであり、当該渋滞長３１５ｋｍが、渋滞長の頻度分布の上位５％以内にあるので、渋滞長符号（○）は赤色で表示されている。また、下段左側の図には、時刻１７：４０における渋滞長が、頻度の累積曲線上でどの程度の位置（上位からどの程度の位置）にあるのかを赤色の符号○で示している。また、下段右側の図には、時刻１７：４０における渋滞長変化量が、頻度の累積曲線上でどの程度の位置（上位からどの程度の位置）にあるのかを符号○で示している。この場合、渋滞長変化量が頻度分布の上位１０％以内であるので、渋滞変化量は黒色の符号○で表示されている。
【０１３８】
図１９の時刻１７：４０においては、渋滞長は頻度分布の上位５％以内であるので、検出条件（検出閾値）は、図９の例に基づけば、渋滞長変化量が、３つの時間帯で１回頻度分布の上位１０％以内にあることである。これを言い換えれば、図１９に示すように、検出閾値は、渋滞長変化量が頻度分布の１０％以内にある状態が直近３周期のうち１周期にある（「１周期／直近３周期」と表する）ことである。そして、時刻１７：４０、時刻１７：３５、時刻１７：３０の直近の３周期において渋滞長変化量は３度（時刻１７：３０、時刻１７：３５、時刻１７：４０）頻度分布の上位１０％以内にある（これを「３周期／直近３周期」と表する）。すなわち、時刻１７：４０においては検出条件を充足する（これを「（３周期／直近３周期）＞（１周期／直近３周期）」と表する）ので検出符号を表示する。また、時刻１７：４０における渋滞長は、頻度分布の上位５％以内であるので、検出符号は、赤色で表示される。また、検出符号が表示されるので、この場合には、渋滞長符号が表示されない。
【０１３９】
図２０の例は、時刻６：００から時刻１９：５０までの渋滞長の推移、渋滞長変化量が増加した時刻を時系列に表示したものである。図２０に示すように、渋滞長が頻度分布の上位１５％以内の場合に、その時刻（箇所）を丸印でプロットし、履歴表示する。これにより、後追いすることなく、１日の渋滞長の推移、特に渋滞長が、過去の統計値である頻度分布に対して、通常ではない時間帯を直感的に把握することができる。
【０１４０】
図２１は本実施の形態の交通情報表示装置１００による渋滞評価の表示の第３例を示す説明図である。第３例は、第１例、第２例とは異なる道路網における渋滞長の推移を示す。図２１に示すように、渋滞長が時刻１４：５５において突発的に増加し、その後一旦渋滞長が短くなったものの、時刻１５：００頃から急激に増加している。図２１に例示するような渋滞長の推移は、例えば、ある特定の地域で大きな地震が発生した場合、あるいは大きな交通事故が発生した場合などに見られる現象である。
【０１４１】
本実施の形態では、図９に例示したように、任意の時間帯において渋滞長が頻度分布の上位５％以内にある場合、検出条件（検出閾値）は、渋滞長変化量が、頻度分布の１０％以内にある状態が直近３周期のうち１周期にあればよい。したがって、図２１に示すように、時刻１４：５５において、渋滞長が頻度分布の上位５％以内にあり、かつ渋滞長変化量が、頻度分布の上位１０％以内にあるので、時刻１４：５５の時点で赤色の検出符号を表示することになる。これにより、交通管理者は、例えば、地震や大事故の発生直後（わずか５分後）には、渋滞抑制策を緊急に実施する必要があることを把握することができるのである。
【０１４２】
また、記憶部１４に、検出符号を表示した時間帯と当該検出符号（例えば、表示態様など）とを関連付けて記憶することができる。また、記憶部１４は、渋滞長算出部１２で算出した渋滞長を時間帯毎に記憶することができる。表示部１５は、記憶した検出符号及び渋滞長、並びに渋滞長変化分布情報又は渋滞長分布情報の少なくとも１つを時系列的に再表示することができる。すなわち、図１３又は図２０に例示した渋滞長の推移及び検出符号を表示した時間帯などを最初の時刻から再表示させることができる。これにより、渋滞長の推移、渋滞長変化量が通常の状態と異なる時間帯、及び過去の渋滞状況と比較した渋滞の深刻さなどを必要に応じて何度も確認することができる。
【０１４３】
次に、本実施の形態の交通情報表示装置１００の動作について説明する。図２２は本実施の形態の交通情報表示装置１００の処理手順を示すフローチャートである。なお、便宜上、処理の主体を制御部１０として説明する。制御部１０は、渋滞算出周期であるか否かを判定し（Ｓ１１）、渋滞算出周期でない場合（Ｓ１１でＮＯ）、ステップＳ１１の処理を続ける。渋滞算出周期は、任意の時間帯と同じであり、例えば、５分である。なお、任意の時間帯として５分以外の時間帯を用いる場合には、渋滞算出周期も同様に変更すればよい。
【０１４４】
渋滞算出周期である場合（Ｓ１１でＹＥＳ）、制御部１０は、全域、指定地域、指定路線の渋滞長を算出し（Ｓ１２）、全域、指定地域、指定路線の渋滞長変化量を算出する（Ｓ１３）。なお、算出する渋滞長は、全域、指定地域、指定路線での総渋滞長である。また、算出する渋滞長変化量は、全域、指定地域、指定路線での総渋滞長の変化量である。
【０１４５】
制御部１０は、算出した渋滞長変化量が渋滞長変化分布情報に対して所定の条件を充足するか否かを判定する（Ｓ１４）。所定の条件は、例えば、図９に示す検出条件（検出閾値）である。所定の条件を充足する場合（Ｓ１４でＹＥＳ）、制御部１０は、算出した渋滞長とともに検出符号を所定の表示態様で表示する（Ｓ１５）。所定の表示態様とは、例えば、渋滞長（より具体的には、渋滞長が頻度分布の上位何％にあるか）に応じて検出符号の色を変えることである。
【０１４６】
所定の条件を充足しない場合（Ｓ１４でＮＯ）、制御部１０は、検出符号を表示させることなく、算出した渋滞長を表示する（Ｓ１６）。制御部１０は、処理を終了するか否かを判定し（Ｓ１７）、処理終了でない場合（Ｓ１７でＮＯ）、ステップＳ１１以降の処理を続ける。処理終了である場合（Ｓ１７でＹＥＳ）、制御部１０は処理を終了する。
【０１４７】
なお、図２２に示す処理は、渋滞算出周期で繰り返し行われるので、現在の渋滞長は、渋滞算出周期で更新される。
【０１４８】
本実施の形態の交通情報表示装置１００は、ＣＰＵ、ＲＡＭなどを備えた汎用コンピュータを用いて実現することもできる。すなわち、図２２に示すような、各処理手順を定めたコンピュータプログラムをＣＤ、ＤＶＤ、ＵＳＢメモリ等のコンピュータプログラム記録媒体に記録しておき、当該コンピュータプログラムをコンピュータに備えられたＲＡＭにロードし、コンピュータプログラムをＣＰＵで実行することにより、コンピュータ上で交通情報表示装置１００を実現することができる。
【０１４９】
上述のように、本実施の形態によれば、時間帯毎に渋滞長の推移を表示しつつ所定の条件を充足した場合には、検出符号が表示されるので、渋滞状況の連続的な傾向を把握することができる。
【０１５０】
上述の実施の形態の交通情報表示装置１００は、交通管制センタ、中央管理センタ等に設置されるものであるが、本実施の形態は、ナビゲーション装置のように車両等に搭載する装置にも適用することができる。
【０１５１】
本実施の形態において例示した検出符号を含む符号の表示態様は一例であって、本実施の形態の例に限定されるものではない。
【０１５２】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１５３】
１０  制御部
１１  インタフェース部
１２  渋滞長算出部
１３  渋滞長変化量算出部
１４  記憶部
１５  表示部
１６  分布情報生成部
１７  判定部
１８  決定部
【図１】
0005887664.tif 000002
【図２】
0005887664.tif 000003
【図３】
0005887664.tif 000004
【図４】
0005887664.tif 000005
【図５】
0005887664.tif 000006
【図６】
0005887664.tif 000007
【図７】
0005887664.tif 000008
【図８】
0005887664.tif 000009
【図９】
0005887664.tif 000010
【図１０】
0005887664.tif 000011
【図１１】
0005887664.tif 000012
【図１２】
0005887664.tif 000013
【図１３】
0005887664.tif 000014
【図１４】
0005887664.tif 000015
【図１５】
0005887664.tif 000016
【図１６】
0005887664.tif 000017
【図１７】
0005887664.tif 000018
【図１８】
0005887664.tif 000019
【図１９】
0005887664.tif 000020
【図２０】
0005887664.tif 000021
【図２１】
0005887664.tif 000022
【図２２】
0005887664.tif 000023